(57)【要約】【課題】振幅変調を行う送信機で、複数の増幅器Ａ１〜ＡＮ、Ｅ１〜Ｅｎの均一化を図る。【解決手段】オンオフ制御手段２、３が送信対象となる信号に基づいて複数の増幅器のそれぞれについてオンオフを制御し、搬送波供給手段１、４が複数の増幅器のそれぞれに対して搬送波信号を供給し、電源手段５が複数の増幅器のそれぞれに対して電源電圧を供給し、生成手段１２、６が複数の増幅器からの出力信号を合成して振幅変調信号を生成し、補正手段１１、Ｂ２〜ＢＮ、Ｆ１〜Ｆｎ、Ｃ２〜ＣＮ、Ｇ１〜Ｇｎ、Ｄ２〜ＤＮ、Ｈ１〜Ｈｎが基準となる増幅器からの出力信号と補正対象となる増幅器からの出力信号との比較結果に基づいて補正対象となる増幅器に対して供給される搬送波信号のタイミングや電源電圧のレベルを補正する。【選択図】  図１
2007258768.tif 000002
【特許請求の範囲】
【請求項１】
振幅変調を行う送信機において、
複数の増幅器と、
送信対象となる信号に基づいて前記複数の増幅器のそれぞれについてオンオフを制御するオンオフ制御手段と、
前記複数の増幅器のそれぞれに対して搬送波信号を供給する搬送波供給手段と、
前記複数の増幅器のそれぞれに対して電源電圧を供給する電源手段と、
前記複数の増幅器からの出力信号を合成して振幅変調信号を生成する生成手段と、
前記複数の増幅器のうちの基準となる増幅器及び補正対象となる増幅器について、当該基準となる増幅器からの出力信号と当該補正対象となる増幅器からの出力信号との比較結果に基づいて当該補正対象となる増幅器に対して供給される前記搬送波信号のタイミング或いは前記電源電圧のレベルの一方又は両方を補正する補正手段と、
を備えたことを特徴とする送信機。
【発明の詳細な説明】
【技術分野】
【０００１】
本発明は、振幅変調を行う送信機に関し、特に、制御信号により複数の増幅器をそれぞれオンオフ制御して、各増幅器の出力を合成して振幅変調信号を生成するデジタル振幅変調中波送信機に関する。
【背景技術】
【０００２】
図３には、デジタル振幅変調中波送信機の構成例を示してある。
放送すべき信号である音声入力（変調信号入力）は、Ａ／Ｄ（Ａｎａｌｏｇ  ｔｏ  Ｄｉｇｉｔａｌ）変換器２２によりＡ／Ｄ変換されて、１２ビットのデジタル信号に変換される。その後、このデジタル信号に基づいて、エンコーダ２３により、ＭＳＢ（Ｍｏｓｔ  Ｓｉｇｎｉｆｉｃａｎｔ  Ｂｉｔ）側の所定ビットを用いてＮ（例えば、Ｎ＝２６）個の等出力電力増幅器（ビッグステップＰＡ）Ｉ１〜ＩＮをオンオフ制御するとともに、ＬＳＢ（Ｌｅａｓｔ  Ｓｉｇｎｉｆｉｃａｎｔ  Ｂｉｔ）側の所定ビットを用いてｎ（例えば、ｎ＝６）個のバイナリー電力増幅器（バイナリーステップＰＡ）Ｊ１〜Ｊｎをオンオフ制御する。バイナリー電力増幅器Ｊ１〜Ｊｎでは、デジタル音声信号の中の細かい情報部分を補正している。
【０００３】
電源２５から各電力増幅器Ｉ１〜ＩＮ、Ｊ１〜Ｊｎへ所定の電力（電圧）が供給される。
高周波発振器（ＯＳＣ）２１から出力される周波数ｆ０の搬送波（キャリア）がエキサイターＰＡ（ＥＸ）２４により所定のレベルまで増幅され、これがオンとなる等出力電力増幅器Ｉ１〜ＩＮ及びオンとなるバイナリー電力増幅器Ｊ１〜Ｊｎにより増幅された後に、各電力増幅器Ｉ１〜ＩＮ、Ｊ１〜Ｊｎの対応する出力合成部３１の出力トランスに供給される。出力電力は、例えば、等出力電力増幅器Ｉ１〜ＩＮの数量や、バイナリー電力増幅器Ｊ１〜Ｊｎの数量や、合成トランスの巻き線比や、電源２５の電圧に応じて決まる。
ここで、エキサイターＰＡ２４では、キャリアを一括ドライブしてそれぞれの電力増幅器Ｉ１〜ＩＮ、Ｊ１〜Ｊｎに分配している。
【０００４】
上記した電力増幅器Ｉ１〜ＩＮ、Ｊ１〜Ｊｎは、例えば、従来のデジタル振幅変調中波送信機で使用されているスイッチング型電力増幅器（Ｄ級増幅器）と同様なものである。各バイナリー電力増幅器Ｊ１〜Ｊｎについては、電圧を一定とする代わりに、出力合成部３１の対応する合成トランスの１次側の巻線比により（１／２）〜（１／２）ｎの電力を補正している。なお、ｎ＝６の場合には、（１／２）ｎ＝（１／６４）となる。
出力合成部３１は、各電力増幅器Ｉ１〜ＩＮ、Ｊ１〜Ｊｎに対応する合成トランスの２次側を直列接続した構成である。従って、出力合成部３１により、各電力増幅器Ｉ１〜ＩＮ、Ｊ１〜Ｊｎからの出力の電圧加算値すなわち振幅変調波が得られる。
この振幅変調波はバンドパスフィルタ（ＢＰＦ）２６により帯域制限され、周波数ｆ０の近傍の成分のみが放送機出力としてアンテナ２７に供給されて無線送信される。
【０００５】
【特許文献１】特開２００４−２０１１２３号公報
【発明の開示】
【発明が解決しようとする課題】
【０００６】
しかしながら、図３に示されるようなデジタル振幅変調中波送信機では、次のような問題があった。
すなわち、デジタル振幅変調方式のように複数の電力増幅器を組み合わせて１つの波を形成するような回路では電力増幅器の均一化ということが非常に重要な要件となる。しかしながら、図３に示されるような電力増幅器の駆動方式である一括ドライブ方式では、装置の簡略化などのために採用されてきたものの、複数の電力増幅器が一個所にまとまっているため、接続ケーブルの均一化やケーブルそのものにも気を遣わなければならず、波形のなまりなど他の部分でばらつき度が大きくなるといった問題があった。また、このほかにも、周波数が高くなる程にケーブルのロスが増加するため、エキサイターＰＡの規模が大きくなる可能性があり、スペースの点においても問題があった。
【０００７】
本発明は、このような従来の課題を解決するために為されたもので、複数の増幅器の出力を合成して振幅変調信号を生成するに際して、例えば安価で簡易な調整機構により、複数の増幅器の均一化を実現することができる送信機を提供することを目的とする。
【課題を解決するための手段】
【０００８】
上記目的を達成するため、本発明に係る送信機では、次のような構成により、振幅変調を行う。
すなわち、複数の増幅器を備える。オンオフ制御手段が、送信対象となる信号に基づいて、前記複数の増幅器のそれぞれについてオンオフを制御する。搬送波供給手段が、前記複数の増幅器のそれぞれに対して、搬送波信号を供給する。電源手段が、前記複数の増幅器のそれぞれに対して、電源電圧を供給する。生成手段が、前記複数の増幅器からの出力信号を合成して、振幅変調信号を生成する。補正手段が、前記複数の増幅器のうちの基準となる増幅器及び補正対象となる増幅器について、当該基準となる増幅器からの出力信号と当該補正対象となる増幅器からの出力信号との比較結果に基づいて、当該補正対象となる増幅器に対して供給される前記搬送波信号のタイミング或いは前記電源電圧のレベルの一方又は両方を補正する。
【０００９】
従って、基準となる増幅器からの出力信号と補正対象となる増幅器からの出力信号との比較結果に基づいて、例えば、これら２つの信号の位相差がゼロとなる（又は、ゼロに近づく）ように、補正対象となる増幅器に対して供給される搬送波信号のタイミングを補正することにより、これら２個の増幅器からの出力信号について位相のずれを無くす（又は、小さくする）ことができる。また、基準となる増幅器からの出力信号と補正対象となる増幅器からの出力信号との比較結果に基づいて、例えば、これら２つの信号のレベル差がゼロとなる（又は、ゼロに近づく）ように、補正対象となる増幅器に対して供給される電源電圧のレベルを補正することにより、これら２個の増幅器からの出力信号について電圧レベルのずれを無くす（又は、小さくする）ことができる。
このような補正を全ての増幅器について行うことで、複数の増幅器の出力を合成して振幅変調信号を生成するに際して、例えば安価で簡易な調整機構により、複数の増幅器の均一化を実現することができる。
【００１０】
ここで、複数の増幅器の数としては、種々な数が用いられてもよい。
また、複数の増幅器としては、それぞれ、種々なものが用いられてもよく、例えば、同じ特性を有する増幅器が用いられるのが好ましい。
また、複数の増幅器のそれぞれに対するオンオフの制御は、例えば、送信対象となる信号の内容が最終的な振幅変調信号に反映されるように行われる。
また、基準となる増幅器としては、いずれの増幅器が用いられてもよい。
また、補正対象となる増幅器としては、基準となる増幅器以外のいずれの増幅器が用いられてもよい。
【００１１】
また、好ましい態様としては、全ての増幅器からの出力信号について位相差やレベル差を無くす（又は、小さくする）補正が行われるが、他の構成例として、複数の増幅器のうちの一部の増幅器についてのみ、このような補正が行われてもよい。
また、２個の増幅器からの出力信号を比較する手法の一例として、一方の信号の正負を反転させて他方の信号と加算する手法を用いることができる。
また、好ましい態様としては、補正対象となる増幅器について、搬送波信号のタイミングの補正と電源電圧のレベルの補正との両方が行われるが、他の構成例として、いずれか一方のみが行われてもよい。
【発明の効果】
【００１２】
以上説明したように、本発明に係る送信機によると、複数の増幅器からの出力信号を合成して振幅変調信号を生成するに際して、基準となる増幅器からの出力信号と補正対象となる増幅器からの出力信号との比較結果に基づいて、当該補正対象となる増幅器に対して供給される搬送波信号のタイミングや電源電圧のレベルを補正するようにしたため、例えば安価で簡易な調整機構により、複数の増幅器の均一化を実現することができる。
【発明を実施するための最良の形態】
【００１３】
本発明に係る実施例を図面を参照して説明する。
図１には、本発明の一実施例に係るデジタル振幅変調中波送信機の構成例を示してある。本例のデジタル振幅変調中波送信機は、例えば、放送機の無線通信部に設けられる。
本例のデジタル振幅変調中波送信機は、高周波発振器（ＯＳＣ）１と、Ａ／Ｄ変換器２と、エンコーダ３と、電力増幅器（ＰＡ）からなるエキサイターＰＡ（ＥＸ）４と、電源（電源ユニット）５と、バンドパスフィルタ（ＢＰＦ）６と、アンテナ７と、複数であるＮ（本例では、Ｎ＝２６）個の等出力電力増幅器（ビッグステップＰＡ）Ａ１〜ＡＮと、複数であるｎ（本例では、ｎ＝６）個のバイナリー電力増幅器（バイナリーステップＰＡ）Ｅ１〜Ｅｎと、反転回路１１と、出力合成部１２を備えている。
また、本例のデジタル振幅変調中波送信機は、２番目〜Ｎ番目の等出力電力増幅器Ａ２〜ＡＮ及びｎ個のバイナリー電力増幅器Ｅ１〜Ｅｎのそれぞれについて、比較回路Ｂ２〜ＢＮ、Ｆ１〜Ｆｎと、電源電圧補正回路Ｃ２〜ＣＮ、Ｇ１〜Ｇｎと、遅延回路Ｄ２〜ＤＮ、Ｈ１〜Ｈｎを備えている。
【００１４】
ここで、本例のデジタル振幅変調中波送信機では、例えば図３に示される構成と比べて、基準となる電力増幅器Ａ１の波形を反転する反転回路１１や、反転された基準信号（電力増幅器Ａ１からの出力信号）と他の電力増幅器Ａ２〜ＡＮ、Ｅ１〜Ｅｎからの出力信号とを比較する比較回路Ｂ２〜ＢＮ、Ｆ１〜Ｆｎを備え、また、比較回路Ｂ２〜ＢＮ、Ｆ１〜Ｆｎによる比較結果に基づいて振幅と位相を補正する補正回路として、振幅を可変するための電源電圧補正回路Ｃ２〜ＣＮ、Ｇ１〜Ｇｎや、位相をずらすための搬送波の遅延回路Ｄ２〜ＤＮ、Ｈ１〜Ｈｎを備えることにより、容易な調整により高品位の中波送信機を実現する。
【００１５】
各等出力電力増幅器Ａ１〜ＡＮからの出力信号の電圧のレベルは、同一のレベルになるように設定されている。
また、１番目〜ｎ番目のバイナリー電力増幅器Ｅ１〜Ｅｎからの出力信号の電圧のレベルは、等出力電力増幅器Ａ１〜ＡＮからの出力信号の電圧のレベルと比べて、それぞれ、（１／２）倍〜（１／２）ｎ倍のレベルとなるように設定されている。
本例では、各等出力電力増幅器Ａ１〜ＡＮ及び各バイナリー電力増幅器Ｅ１〜Ｅｎとして同一の電力増幅器（本例では、高周波増幅器）を用いており、出力合成部１２に設けられた各電力増幅器Ａ１〜ＡＮ、Ｅ１〜Ｅｎに対応した合成トランスの１次側の巻線比を調整して設定することで、各電力増幅器Ａ１〜ＡＮ、Ｅ１〜Ｅｎからの出力信号のレベルが所望のレベルとなるようにしている。
【００１６】
本例のデジタル振幅変調中波送信機において行われる動作の一例を示す。
高周波発振器１は、所定の周波数ｆ０を有する搬送波（キャリア）の信号を発生して、Ａ／Ｄ変換器２とエンコーダ３とエキサイターＰＡ４へ出力する。
送信対象となる信号として、本例では、放送信号である音声信号がＡ／Ｄ変換器２に入力される。
Ａ／Ｄ変換器２は、入力された音声信号を、例えばその振幅に応じて、複数のビット（例えば、１２ビット）のデジタル信号へ変換して、エンコーダ３へ出力する。
エンコーダ３は、Ａ／Ｄ変換器２からのデジタル信号を、各電力増幅器Ａ１〜ＡＮ、Ｅ１〜Ｅｎをオン或いはオフにスイッチングさせるための信号へ変換して、各電力増幅器Ａ１〜ＡＮ、Ｅ１〜Ｅｎへ出力する。本例では、１０進のデジタル信号を用いて等出力電力増幅器Ａ１〜ＡＮのオンオフを制御し、２進のデジタル信号を用いてバイナリー電力増幅器Ｅ１〜Ｅｎのオンオフを制御する。このように、本例では、ビット制御を用いて、個々の電力増幅器Ａ１〜ＡＮ、Ｅ１〜Ｅｎの動作状態をオンとオフで切り替える。
【００１７】
エキサイターＰＡ４は、高周波発振器１からの周波数ｆ０の信号（搬送波）を規定のレベルまで増幅して、１番目の等出力電力増幅器Ａ１へ出力するとともに、２番目〜Ｎ番目の等出力電力増幅器Ａ２〜ＡＮ及びｎ個のバイナリー電力増幅器Ｅ１〜Ｅｎについては遅延回路Ｄ２〜ＤＮ、Ｈ１〜Ｈｎへ出力する。本例では、エキサイターＰＡ４からの出力は、個々の電力増幅器Ａ１〜ＡＮ、Ｅ１〜Ｅｎ毎に直接分配されて増幅される。
電源５は、所定の電力（電圧）を、１番目の等出力電力増幅器Ａ１へ出力するとともに、２番目〜Ｎ番目の等出力電力増幅器Ａ２〜ＡＮ及びｎ個のバイナリー電力増幅器Ｅ１〜Ｅｎについては電源電圧補正回路Ｃ２〜ＣＮ、Ｇ１〜Ｇｎへ出力する。
【００１８】
各電源電圧補正回路Ｃ２〜ＣＮ、Ｇ１〜Ｇｎは、各比較回路Ｂ２〜ＢＮ、Ｆ１〜Ｆｎからの比較結果に基づいて、電源５からの電圧を補正（調整）して、各電力増幅器Ａ２〜ＡＮ、Ｅ１〜Ｅｎへ出力する。これにより、電源５からの電圧を各電力増幅器Ａ２〜ＡＮ、Ｅ１〜Ｅｎ毎に個別にレベル調整することが可能である。
各遅延回路Ｄ２〜ＤＮ、Ｈ１〜Ｈｎは、各比較回路Ｂ２〜ＢＮ、Ｆ１〜Ｆｎからの比較結果に基づいて、エキサイターＰＡ４からの入力信号を遅延させて、各電力増幅器Ａ２〜ＡＮ、Ｅ１〜Ｅｎへ出力する。これにより、エキサイターＰＡ４からの信号（搬送波信号）を各電力増幅器Ａ２〜ＡＮ、Ｅ１〜Ｅｎ毎に個別にタイミング調整することが可能である。
【００１９】
１番目の等出力電力増幅器Ａ１は、エンコーダ３からの入力信号に応じてオン或いはオフとされ、オンの状態では、電源５からの入力電圧を用いて、エキサイターＰＡ４からの入力信号を増幅し、増幅信号を出力合成部１２の対応する合成トランスへ出力する。この増幅信号は、反転回路１１にも入力される。
２番目〜Ｎ番目の等出力増幅器Ａ２〜ＡＮ及びｎ個のバイナリー増幅器Ｅ１〜Ｅｎは、エンコーダ３からの入力信号に応じてオン或いはオフとされ、オンの状態では、各電源電圧補正回路Ｃ２〜ＣＮ、Ｇ１〜Ｇｎを経由した電源５からの入力電圧を用いて、各遅延回路Ｄ２〜ＤＮ、Ｈ１〜Ｈｎを経由したエキサイターＰＡ４からの入力信号を増幅し、増幅信号を出力合成部１２の対応する合成トランスへ出力する。この増幅信号は、各比較回路Ｂ２〜ＢＮ、Ｆ１〜Ｆｎにも入力される。
各電力増幅器Ａ１〜ＡＮ、Ｅ１〜Ｅｎでは、電源５からの入力電圧（電源電圧補正回路Ｃ２〜ＣＮ、Ｇ１〜Ｇｎを経由する場合には、経由したもの）に応じて出力電圧が決まる。
【００２０】
出力合成部１２は、各電力増幅器Ａ１〜ＡＮ、Ｅ１〜Ｅｎ毎に合成トランスを有しており、全ての電力増幅器Ａ１〜ＡＮ、Ｅ１〜Ｅｎからの出力電圧を合成して、その合成信号をバンドパスフィルタ６へ出力する。
バンドパスフィルタ６は、出力合成部１２からの合成信号を帯域制限することにより当該合成信号に含まれる不要高周波成分を減衰して、帯域制限後の合成信号をアンテナ７へ出力する。
アンテナ７は、バンドパスフィルタ６からの信号を無線により送信する。この信号は、Ａ／Ｄ変換器２に入力される音声信号をデジタル振幅変調した結果（振幅変調信号）となる。
【００２１】
反転回路１１は、１番目の等出力電力増幅器Ａ１からの出力信号について、例えばその電圧の正負（プラスマイナス）を反転させて、２番目〜Ｎ番目の等出力電力増幅器Ａ２〜ＡＮ及びｎ個のバイナリー電力増幅器Ｅ１〜Ｅｎの比較回路Ｂ２〜ＢＮ、Ｆ１〜Ｆｎへ出力する。
各比較回路Ｂ２〜ＢＮ、Ｆ１〜Ｆｎは、反転回路１１から入力される信号（基準信号）と各電力増幅器Ａ２〜ＡＮ、Ｅ１〜Ｅｎから入力される信号とを比較して、比較結果を各電源電圧補正回路Ｃ２〜ＣＮ、Ｇ１〜Ｇｎ及び各遅延回路Ｄ２〜ＤＮ、Ｈ１〜Ｈｎへ出力する。本例では、各比較回路Ｂ２〜ＢＮ、Ｆ１〜Ｆｎは、入力される２つの信号を加算して、加算結果の信号を比較結果として出力する。
【００２２】
次に、電源５からの電圧の調整や、エキサイターＰＡ４からの信号のタイミングの調整について、詳しく説明する。
デジタル振幅変調方式を使用する送信機では、例えば、アナログの電力増幅器を使用した送信機とは異なり、複数の電力増幅器Ａ１〜ＡＮ、Ｅ１〜Ｅｎを組み合わせて変調信号を構成する方式であるため、各電力増幅器Ａ１〜ＡＮ、Ｅ１〜Ｅｎのオンオフのタイミング（ここでは、例えば、周期的なパルスの時間的な位置）や、電力増幅器Ａ１〜ＡＮ、Ｅ１〜Ｅｎの均一化が重要になる。
そこで、本例では、各電力増幅器Ａ１〜ＡＮ、Ｅ１〜Ｅｎからの出力電圧を決める電源５からの電圧を調整することや、各電力増幅器Ａ１〜ＡＮ、Ｅ１〜Ｅｎからの出力波形のタイミング（ここでは、例えば、周期的なパルスの時間的な位置）を決めるエキサイターＰＡ４からの信号のタイミングを調整することを行うことで、電力増幅器Ａ１〜ＡＮ、Ｅ１〜Ｅｎのばらつき（振幅、位相）を吸収して高品位な送信機を実現する。
【００２３】
図２（ａ）、（ｂ）、（ｃ）には、２番目〜Ｎ番目の等出力電力増幅器Ａ１〜ＡＮ及びｎ個のバイナリー電力増幅器のうちの１個を例として、２番目の等出力電力増幅器Ａ２に関して、（ａ）反転回路１１からの出力信号の電圧波形の一例と、（ｂ）比較回路Ｂ２からの出力信号の電圧波形の一例と、（ｃ）電力増幅器Ａ２からの出力信号の電圧波形の一例を示してある。なお、本例では、Ｄ級増幅器の片側の波形のみを示してあり、実際には２回路が必要になる。
【００２４】
反転回路１１からの出力信号は、本例で基準としている１番目の等出力電力増幅器Ａ１からの出力信号を反転したものとなっている。
電力増幅器Ａ２からの出力信号は、補正の対象となるものである。
比較回路Ｂ２からの出力信号は、反転回路１１からの出力信号と電力増幅器Ａ２からの出力信号とを加算したものであり、補正の対象となる信号が基準信号と比べてずれている振幅の量や位相の量を表すこととなる。
具体的には、Ｑ＞Ｐである場合を例として、基準信号の振幅がＰであり、電力増幅器Ａ２からの出力信号の振幅がＱであり、基準信号と比較して電力増幅器Ａ２からの出力信号の振幅は（Ｑ−Ｐ）だけずれている。また、基準信号と比較して電力増幅器Ａ２からの出力信号の位相はａだけずれている。
【００２５】
本例では、比較回路Ｂ２からの出力信号がキャンセルされてゼロ信号となるように、電源電圧補正回路Ｃ２〜ＣＮ、Ｇ１〜Ｇｎによる電圧のレベル調整や、遅延回路Ｄ２〜ＤＮ、Ｈ１〜Ｈｎによる搬送波のタイミング調整が制御され、これにより、基準となる電力増幅器Ａ１に対して同一タイミングの均一な電力増幅器Ａ２となるように制御することができる。
また、基準となる電力増幅器Ａ１以外の全ての電力増幅器Ａ２〜ＡＮ、Ｅ１〜Ｅｎについて同様な補正を行うことにより、全ての電力増幅器Ａ１〜ＡＮ、Ｅ１〜Ｅｎについて同一タイミング及び同一電圧レベルを実現することができる。
【００２６】
このように、電力増幅器Ａ１〜ＡＮ、Ｅ１〜Ｅｎからの出力信号の振幅は矩形波を増幅出力するＤ級増幅器において例えばＦＥＴ（Ｆｉｅｌｄ  Ｅｆｆｅｃｔ  Ｔｒａｎｓｉｓｔｏｒ）のスイッチング電圧と同一になることから、各電力増幅器Ａ１〜ＡＮ、Ｅ１〜Ｅｎの電源電圧を個々に調整することにより、ばらつきを改善することができる。
また、位相についても、例えば現状に対して位相を進めることはできないが、遅らせることは可能であるため、ばらつきを改善することが可能である。図２（ａ）、（ｂ）、（ｃ）の例では、電力増幅器Ａ２からの出力信号の方が反転回路１１からの出力信号と比べて位相がａだけ進んでおり、電力増幅器Ａ２からの出力信号を遅延回路Ｄ２に通すことにより、位相差ａを無くすことができる。遅延回路Ｄ２〜ＤＮ、Ｈ１〜Ｈｎとしては、例えば、抵抗やコンデンサを用いて構成することができる。
【００２７】
また、通常は、本例のような振幅及び位相の補正を初期に行った後には、経年変化や故障以外ではずれることは考えられないため、例えば、起動時に２個の電力増幅器（基準となる電力増幅器と補正対象となる電力増幅器）がオンとなるようにプログラム若しくはディップスイッチなどを用いて回路を組んでおけば、その後は、個々に振幅及び位相を合わせていくことにより均一化が可能になる。
【００２８】
以上のように、本例のデジタル振幅変調中波送信機では、音声信号を複数ビットのデジタル信号へ変換し、このデジタル信号を変調用のエンコーダ３により複数の電力増幅器Ａ１〜ＡＮ、Ｅ１〜Ｅｎのスイッチングを行うための信号へ変換し、この変換された信号で複数の電力増幅器Ａ１〜ＡＮ、Ｅ１〜Ｅｎをオンオフ制御して、振幅変調波を生成するに際して、例えば１０進のデジタル信号で制御する複数の等出力電力増幅器Ａ１〜ＡＮと例えば２進のデジタル信号で制御する複数のバイナリー電力増幅器Ｅ１〜Ｅｎについて、振幅及び位相の同期化を行う。
【００２９】
従って、本例のデジタル振幅変調中波送信機では、基準となる電力増幅器からの出力信号を反転した波形を補正対象となる電力増幅器からの出力信号が打ち消すように、振幅や位相を変化させることにより、複数の電力増幅器の均一化を図ることができ、これにより、例えば、電力増幅器のばらつきによるＳ／Ｎの劣化や近接スプリアスの劣化を改善して高性能の送信機を実現することができ、また、事前の調整を不要とすることが可能である。また、本例のような振幅や位相の調整機構は、安価で簡易に実現することが可能である。
【００３０】
なお、本例のデジタル振幅変調中波送信機では、複数の増幅器Ａ１〜ＡＮ、Ｅ１〜Ｅｎを備えており、Ａ／Ｄ変換器２やエンコーダ３の機能により各増幅器Ａ１〜ＡＮ、Ｅ１〜Ｅｎのオンオフを制御するオンオフ制御手段が構成されており、高周波発振器１やエキサイターＰＡ４の機能により搬送波供給手段が構成されており、電源５の機能により電源手段が構成されており、出力合成部１２やバンドパスフィルタ６の機能により振幅変調信号を生成する生成手段が構成されており、反転回路１１や比較回路Ｂ２〜ＢＮ、Ｆ１〜Ｆｎや電源電圧補正回路Ｃ２〜ＣＮ、Ｇ１〜Ｇｎの機能により電源電圧のレベルを補正する補正手段が構成されており、反転回路１１や比較回路Ｂ２〜ＢＮ、Ｆ１〜Ｆｎや遅延回路Ｄ２〜ＤＮ、Ｈ１〜Ｈｎの機能により搬送波信号のタイミングを補正する補正手段が構成されている。
【００３１】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３２】
【図１】本発明の一実施例に係るデジタル振幅変調中波送信機の構成例を示す図である。
【図２】（ａ）は反転回路からの出力の一例を示す図であり、（ｂ）は比較回路からの出力の一例を示す図であり、（ｃ）は電力増幅器からの出力の一例を示す図である。
【図３】デジタル振幅変調中波送信機の構成例を示す図である。
【符号の説明】
【００３３】
１・・発振器、  ２・・Ａ／Ｄ変換器、  ３・・エンコーダ、  ４・・エキサイター、  ５・・電源、  ６・・バンドパスフィルタ、  ７・・アンテナ、  １１・・反転回路、  １２・・出力合成部、  Ａ１〜ＡＮ、Ｅ１〜Ｅｎ・・電力増幅器、  Ｂ２〜ＢＮ、Ｆ１〜Ｆｎ・・比較回路、  Ｃ２〜ＣＮ、Ｇ１〜Ｇｎ・・電源電圧補正回路、  Ｄ２〜ＤＮ、Ｈ１〜Ｈｎ・・遅延回路、
【図１】
2007258768.tif 000003
【図２】
2007258768.tif 000004
【図３】
2007258768.tif 000005